(57)【特許請求の範囲】
【請求項１】
端部を折り畳んだ袋部材を収容し、周囲の一部を剪断容易な境界線によって形成して折り曲げられる押し込み部を押し込み、前記押し込み部から引き裂くことにより開封する包装用容器であって、
前記袋部材の端部に少なくとも第１折り畳み部と、該第１折り畳み部に続く第２折り畳込み部とを形成することにより包装用容器内の前記押し込み部の内側に空間を形成し、
前記押し込み部の寸法を、押し込まれた該押し込み部が前記袋部材の端部に接触しないように決め、当該押し込み部の前後方向の幅の寸法が５ないし９ｍｍであることを特徴とする包装用容器。
【請求項２】
前記押し込み部の左右方向幅の寸法は、
前記押し込み部に続く第１蓋フラップ及び押し込まれた前記押し込み部が、側板に続く蓋フラップの前後方向幅の１／３以上と係合するように決められていることを特徴とする請求項１に記載の包装用容器。
【請求項３】
端部を折り畳んだ袋部材を収容し、周囲の一部を剪断容易な境界線によって形成して折り曲げられる押し込み部を押し込み、前記押し込み部から引き裂くことにより開封する包装用容器に充填した流動食品であって、
前記包装用容器は、前記袋部材の端部に少なくとも第１折り畳み部と、該第１折り畳み部に続く第２折り畳込み部とを形成することにより包装用容器内の前記押し込み部の内側に空間を形成し、前記押し込み部の寸法を、押し込まれた該押し込み部が前記袋部材の端部に接触しないように決め、当該押し込み部の前後方向の幅の寸法が５ないし９ｍｍであることを特徴とする流動食品。
【請求項４】
前記押し込み部の左右方向幅の寸法は、
前記押し込み部に続く第１蓋フラップ及び押し込まれた前記押し込み部が、側板に続く蓋フラップの前後方向幅の１／３以上と係合するように決められていることを特徴とする請求項３に記載の流動食品。
【発明の詳細な説明】
【技術分野】
【０００１】
本発明は、袋部材を収容した包装用容器、さらに詳しくは、顆粒状や紛体の流動体や固体の薬剤、カレー、シチュウ等の食品調味料等の流動体を充填した袋部材を収容した包装用容器に関する。さらに、上述した包装用容器に前記流動体に関する。
【背景技術】
【０００２】
従来の包装用容器として、多角形の底部と、該底部の各辺から立ち上がった３つ以上の側板と、該側板が形成する上方開口部を塞ぐ蓋部とを有し、前記側板のうちの１つの側板と蓋部との間の境界線は、中心部を含む蓋部境界中央部分と、該蓋部境界中央部分の一方の側に位置した第１の蓋部境界線周辺部分と、前記蓋部境界中央部分の他方の側に位置した第２の蓋部境界線周辺部分とからなり、前記蓋部を開けるときに押すための舌状部分が、前記１つの側板の蓋部に隣接した領域に設けられている包装用容器が提案されている（特許文献１）。
【０００３】
【特許文献１】特許第３４０４４５７号公報
【発明の開示】
【発明が解決しようとする課題】
【０００４】
特許文献１の包装用容器の舌状部分は、包装用容器の底面に形成され、親指で押し込まれることが多いことから、その大きさすなわち包装用容器の縁から舌状ミシン目押し込み部の奥側部までの幅は、１２ミリより大きい。ところで、包装用容器をこのように構成して、包装用容器の内部に袋部材を詰め込んで収容した場合、次のような問題がある。すなわち、この包装用容器の開封操作は、通常、上下裏返した包装用容器を、左手と、右手の親指を除く４本の指で支え、前記押し込み部に右手の前記親指を当て、その親指によって前記押し込みを包装用容器内部へ押し込む。続いて、押し込んだ親指をその手の平の方へ引き寄せることによって、包装用容器の前記押し込み部に隣接する面を押し広げて開封する。
この開封操作において、右手の親指で前記押し込み部を押し込む時、特に親指は人差指等に比較して大きな力を出せるが細かい動きが不得意であることから、この親指が包装用容器に収納された袋部材の端部を引っ掛けて破る恐れが高い。
【０００５】
従来技術の包装用容器の問題点を、図に基づいてさらに具体的に説明する。本件出願人は、上述した問題点を改善するために、包装用容器の内部に収容する袋部材の端部の折り畳み方を工夫した。すなわち、図５に示すように、包装用容器の内部には、袋部材３３２が収容されている。袋部材３３２は、襞のない封筒状の袋を形成しており、内部に流動体が充填され、端部を除くほとんどの部分が箱体３００に倣って略直方体となっている。
【０００６】
図５に示す袋部材３３２の端部は、２回折り畳まれて、第１折り畳み部３４０と、第２折り畳み部３５０を有する。第１折り畳み部３４０は、中央高さ位置から下向きに延び、箱体３００の高さの１／３の位置の折り線３４２で上方へ折り返されるまでの部分である。第２折り畳み部３５０は、折り線３４２から上方に折り返されて、袋部材端部３５２まで続く部分である。袋部材端部３５２は、箱体３００の７／１０の高さ位置にある。第２折り畳み部３５０の下側半分は、袋部材３３２が接着剤３５２によって接着されて密封されている。第１折り込み部３４０及び第２折り込み部３５０の両端部、すなわち図５の紙面と直交する方向の両端部は、概ね三角形になっており、内側に折り曲げられている。
【０００７】
このように袋部材の端部に第１折り畳み部３４０及び第２折り畳み部３５０を設けた場合には、図５に示すように、包装用容器内部の舌状ミシン目押し込み部３６０の内側に空間ができるため、この舌状ミシン目押し込み部３６０に親指を押し込んだときに袋部材の端部が破れることをある程度軽減することができたが、未だ改善の余地が残されていた。
【０００８】
特許文献１の包装用容器は、前記舌状部分の周縁に線状に並んだミシン目３１０を設けることによって、前記舌状部分の先端部の中央部分の剪断抵抗力が、その両側の部分の剪断抵抗力より小さくなるように構成されている。この舌状ミシン目押し込み部３６０が舌状部分であるということは、通常この押し込み部分を親指で押し込むことが多いから、その大きさすなわち包装用容器の縁から舌状ミシン目押し込み部３６０の奥側部、すなわち図５のミシン目３１０が図示されている位置までの幅は、１２ミリ以上ある。包装用容器をこのように構成して、図５の断面模式図に示す袋部材３３２を収容した場合には、包装用容器を開封するために舌状ミシン目押し込み部３６０を押し込んだ指が袋部３３２を押し破る恐れがある。また、包装用容器を開封するために舌状ミシン目押し込み部３６０を押し込んだ指が袋部材３３２を押し破らなかった場合、押し込んだ舌状ミシン目押し込み部３６０と押し込んだ親指が袋部材端部３５２に引掛かり、舌状ミシン目押し込み部３６０を押し込んだ勢いで、袋部材端部３５２を押し破る恐れがある。
【０００９】
（発明の目的）
本発明は、従来の包装用容器の開封に関するこのような問題に鑑みてなされたものであって、容易に開封することができ、また収容した袋部材等を破るおそれの少ない包装用容器を提供することを目的とする。
本発明はまた、大きな押し込み力を要せず開封することができる包装用容器を提供することを目的とする。
【課題を解決するための手段】
【００１０】
本第１発明は、端部を折り畳んだ袋部材を収容し、周囲の一部を剪断容易な境界線によって形成して折り曲げられる押し込み部を押し込み、前記押し込み部から引き裂くことにより開封する包装用容器であって、
前記袋部材の端部に少なくとも第１折り畳み部と、該第１折り畳み部に続く第２折り畳込み部とを形成することにより包装用容器内の前記押し込み部の内側に空間を形成し、
前記押し込み部の寸法を、押し込まれた該押し込み部が前記袋部材の端部に接触しないように決めたことを特徴とする包装用容器である。
【００１１】
本第１発明の包装用容器の実施態様は、以下のとおりである。
前記押し込み部の前後方向の幅の寸法が、３ないし１０ｍｍである。前記押し込み部の前後方向の幅の寸法が３ｍｍに満たないと、前記押し込み部を押し込むことによって形成された開口に親指が奥まで入らず、開封を完全に行うことが難しくなる。前記押し込み部の前後方向の幅の寸法が１０ｍｍを超えると、前記押し込み部を押し込むことによって形成された開口が大きく、親指が開封した付勢力によって形成された開口の奥まで入って前記袋部材を破壊させる恐れがある。
【００１２】
本第２発明は、端部を折り畳んだ袋部材を収容し、周囲の一部を剪断容易な境界線によって形成して折り曲げられる押し込み部を押し込み、前記押し込み部から引き裂くことにより開封する包装用容器に充填した流動食品であって、
前記包装用容器は、前記袋部材の端部に少なくとも第１折り畳み部と、該第１折り畳み部に続く第２折り畳込み部とを形成することにより包装用容器内の前記押し込み部の内側に空間を形成し、前記押し込み部の寸法を、押し込まれた該押し込み部が前記袋部材の端部に接触しないように決めてなることを特徴とする流動食品である。
【発明の効果】
【００１３】
本発明の包装用容器によれば、容易に開封することができ、また収容した袋部材等を破るおそれの少ない包装用容器を構成することができる効果を有する。
本発明はまた、大きな押し込み力を要せず開封することができる包装用容器を構成できる効果を有する。
【発明を実施するための最良の形態】
【００１４】
以下に、本発明の実施形態の包装用容器１００を図に基づいて説明する。
包装用容器１００を作るための容器シート１３０は、図３に示すように、第１側板１０２と、第２側板１０４と、第３側板１０６と、第４側板１０８と含む。この容器シート１３０は、例えば、紙又は厚紙で形成されている。変形例として、容器シート１３０は、２〜５層の多層構造であってもよい。容器シート１３０を２層構造で構成する場合には、内側の第１層を紙で構成し、外側の第２層をアルミ箔で構成するのが好ましい。容器シート１３０を３層構造で構成する場合には、内側の第１層をプラスチックフィルムで構成し、中間の第２層を紙で構成し、外側の第３層をアルミ箔で構成するのが好ましい。容器シート１３０を多層構造で構成する場合には、例えば、前記各層の間に接着剤を配置して、これらの各層を圧着することにより、多層構造の容器シート１３０を形成することができる。
【００１５】
第１蓋フラップ１３２が、第１蓋部境界線１２０を介して第１側板１０２の一方の縁部につながっている。第２蓋フラップ１３４が、第２蓋フラップ境界線１４４を介して第２側板１０４の一方の縁部につながっている。第３蓋フラップ１３６が、第３蓋フラップ境界線１４６を介して第３側板１０６の一方の縁部につながっている。第４蓋フラップ１３８が、第４蓋フラップ境界線１４８を介して第４側板１０８の一方の縁部につながっている。
【００１６】
第１蓋フラップ１３２は、包装用容器１００を組み立てるときに第３蓋フラップ１３６を接着するための糊代を構成する。第１底フラップ１５２が、第１底フラップ境界線１６２を介して第１側板１０２の他方の縁部につながっている。第２底フラップ１５４が、第２底フラップ境界線１６４を介して第２側板１０４の他方の縁部につながっている。第３底フラップ１５６が、第３底フラップ境界線１６６を介して第３側板１０６の他方の縁部につながっている。第４底フラップ１５８が、第４底フラップ境界線１６８を介して第４側板１０８の他方の縁部につながっている。第１底フラップ１５２は、包装用容器１００を組み立てるときに第３底フラップ１５６を接着するための糊代を構成する。
【００１７】
第１側板１０２は、第１側板境界線１７２を介して第２側板１０４とつながっている。第２側板１０４は、第２側板境界線１７４を介して第３側板１０６とつながっている。第３側板１０６は、第３側板境界線１７６を介して第４側板１０８とつながっている。側方フラップ１８０が、側方フラップ境界線１８２を介して第１側板１０２とつながっている。側方フラップ１８０は、包装用容器１００を作るときに第４側板１０８を接着するための糊代を構成する。
【００１８】
第１側板１０２には、図１及び図２に示すように、包装用容器１００を開封するときに押し込むための帯状押し込み部２００が形成されている。帯状押し込み部２００は、図２に示すように、第１蓋部境界線１２０上にある折り線である押し込み折り線２０２と、ミシン線で形成され押し込み折り線２０２の両端部２０４，２０６から延びて帯状領域を画成する押し込みミシン線２１０と、押し込み折り線２０２の両端部２０４，２０６から外向きに第１蓋部境界線１２０上を延びた第１開封ミシン線２１２及び第２開封ミシン線２１４からなる。
【００１９】
本実施形態の包装用容器１００の寸法を例示すれば、第１側板１０２の幅Ｗ１は８０ｍｍ、第２側板１０４の幅Ｗ２は３０ｍｍ、帯状押し込み部２００の幅Ｗ３は５９ｍｍ、帯状押し込み部２００の高さＨは８ｍｍである。第１側板１０２の内部にある帯状押し込み部２００の角部は、半径Ｒが３ｍｍで丸められている。
【００２０】
帯状押し込み部２００の前後方向の幅すなわち高さH１は、指を押し込んだときに、帯状押し込み部２００が袋部材３３２と接触しないように定められる。具体的には、例えば、帯状押し込み部２００の高さH１は、３ないし１０mm、好ましくは、５ないし９mmである。
【００２１】
帯状押し込み部２００の左右方向の幅すなわち幅Ｗ３は、指を押し込んだときに押し込んだ指が一気に包装用容器１００の中に入り込まないようにすることが好ましい。このことから、帯状押し込み部２００の左右方向の幅すなわち幅Ｗ３は、帯状押し込み部２００を押し込んだときに第２フラップ１３４及び第４フラップ１３８の前後方向幅Ｈ２の１／３以上、好ましくは１／２以上が係合するように定めるのがよい。例えば本実施例の場合、帯状押し込み部２００の幅Ｗ３は、４０ｍｍ以上、好ましくは５０ないし６５ｍｍである。この場合には、指を帯状押し込み部２００に押し込んだときに、押し込まれた帯状押し込み部２００が第２フラップ１３４及び第４フラップ１３８に係合して、押し込んだ指が一気に包装用容器１００の中に入り込まないので、指先で袋部材３３２を破るのを抑えることができる。
【００２２】
帯状押し込み部２００の押し込みミシン線２１０の中央部分は、押し込み折り線２０２と平行な直線、または第１側板１０２の中心方向へ少し凸の円弧又は楕円弧であると、押し込みミシン線２１０の剪断がより容易になる。同様に、押し込み折り線２０２の両端部２０４，２０６で終端する押し込みミシン線２１０の端部は、押し込み折り線２０２と直交する。しかし、押し込み折り線２０２の両端部２０４，２０６で終端する押し込みミシン線２１０の端部は、押し込み折り線２０２から離れるにしたがって互いに近づく方向に傾斜させると、押し込みミシン線２１０の剪断がより容易になる。
【００２３】
包装用容器１００の組み立ては、図１に示すように、第２蓋フラップ１３４、第４蓋フラップ１３８、第２底フラップ１５４、第４底フラップ１５８を内側すなわち図３の裏面側に直角に折り曲げる。次に、第４側板１０８及びの裏面に側方フラップ１８０を貼着する。さらに、折り曲げた第２蓋フラップ１３４及び第４蓋フラップ１３８の外側において、第３蓋フラップ１３６の表面に第１蓋フラップ１３２の裏面を貼着する。同様に、折り曲げた第２底フラップ１５４及び第４底フラップ１５８の表側で、第３底フラップ１５６の裏面に第１底フラップ１５２の裏面を貼着する。
【００２４】
袋部材３３２を収容した包装用容器１００の開封について説明する。袋部材３３２を収容した包装用容器１００の断面は、図４に示されるが、袋部材３３２については、上述した図５と同一の符号を付してその説明を省略する。帯状押し込み部２００を指で押し込み、押し込みミシン線２１０を剪断する。押し込みミシン線２１０の剪断は、第１開封ミシン線２１２及び第２開封ミシン線２１４の剪断に続く。押し込みミシン線２１０、第１開封ミシン線２１２及び第２開封ミシン線２１４が剪断されると、帯状押し込み部２００は押し込み折り線２０２を中心にして押し下げられる。その時、押し込んだ指は、第１側板１０２の残った部分にある押し込みミシン線２１０の切り口によって包装用容器１００の内部の方向に進むことが阻まれる。
【００２５】
押し込みミシン線２１０の剪断によって、第３蓋フラップ１３６を貼着された第１蓋フラップ１３２を外方向に押し広げることも可能になり、押し込んだ指は略真下に移動する。その結果、帯状押し込み部２００は、袋部材端部３５２と接触するか接触しない位置関係で、押し込み折り線２０２を中心にして押し下げられるように押し動かされる。さらに、押し込んだ指が、第３蓋フラップ１３６を貼着されかつ帯状押し込み部２００を折り込まれた第１蓋フラップ１３２を外方向に引っ張る。これにより、第２蓋フラップ１３４及び第４蓋フラップ１３８が、帯状押し込み部２００と、第３蓋フラップ１３６を貼着された第１蓋フラップ１３２との間から開放され、包装用容器１００が開封される。
【００２６】
上述した実施形態においては、押し込みミシン線の形状は直線形状のものを示したけれども、ミシン線の形状は、曲線状であってもよいし、複数の曲線を組み合わせた「Ｓ」字形状、又は、「ジグザグ」形状等であってもよい。変形例として、上述したミシン線の代わりに、複数の「ポンチ穴」又は「スリット」を形成してもよい。ミシン線の代わりに複数の「ポンチ穴」を形成する場合には、等間隔又は異なる間隔で複数の「ポンチ穴」を配置する。「ポンチ穴」の直径は、例えば、０．１〜１ミリメートルであるのが好ましい。
【図面の簡単な説明】
【００２７】
【図１】本発明の実施形態の包装用容器の斜視図である。
【図２】本発明の実施形態の包装用容器の帯状押し込み部付近の拡大正面図である。
【図３】本発明の実施形態の包装用容器を作るのに用いられる容器シートの展開平面図である。
【図４】本発明の実施形態の包装用容器を帯状押し込み部付近の拡大断面図である。
【図５】従来の包装用容器の充填状態を示す部分拡大断面図である。
【符号の説明】
【００２８】
１００      包装用容器
１０２      第１側板
１０４      第２側板
１０６      第３側板
１０８      第４側板
１２０      第１蓋部境界線
１３０      容器シート
１３２      第１蓋フラップ
１３４      第２蓋フラップ
１３８      第４蓋フラップ
１４４      第２蓋フラップ境界線
１４６      第３蓋フラップ境界線
１４８      第４蓋フラップ境界線
１５２      第１底フラップ
１５４      第２底フラップ
１５６      第３底フラップ
１５８      第４底フラップ
１６２      第１底フラップ境界線
１６４      第２底フラップ境界線
１６６      第３底フラップ境界線
１７２      第１側板境界線
１７４      第２側板境界線
１７６      第３側板境界線
１８２      側方フラップ
２００      帯状押し込み部
２０２      押し込み折り線
２１０      押し込みミシン線
２１２      第１開封ミシン線
２１４      第２開封ミシン線
【図１】
0004463761.tif 000002
【図２】
0004463761.tif 000003
【図３】
0004463761.tif 000004
【図４】
0004463761.tif 000005
【図５】
0004463761.tif 000006